(57)【要約】【課題】屋外に配置される空気調和装置においては、ユーザが操作する操作部が露出している場合、雨風が操作部に当たり、操作部の機能に影響を及ぼす恐れがあった【解決手段】空気調和装置（１００）は、ケーシング（１０）の内部に、熱源側熱交換器（６）および利用側熱交換器（３）を収容している。空気調和装置（１００）は、さらに、制御器（４０）と、制御器の前面側に配置されるカバー（４５）を備えている。制御器（４０）は、ユーザが操作する操作部（４１）と、表示部（４２）と、を有する。カバー（４５）は、表示部（４２）を視認可能な透明部分を有する。【選択図】図４
2020133983.tif 000002
【特許請求の範囲】
【請求項１】
屋外に配置される空気調和装置（１００）であって、
ケーシング（１０）と、
前記ケーシング内に収容されている熱源側熱交換器（６）および利用側熱交換器（３）と、
前記空気調和装置の制御を行う制御器（４０）と、
前記制御器の前面側に配置されるカバー（４５）と、
を備え、
前記制御器は、ユーザが操作する操作部（４１）と、表示部（４２）と、を有し、
前記カバーは、前記表示部を視認可能な透明部分を有する、
空気調和装置。
【請求項２】
前記カバーは、前記操作部を操作可能なように開閉可能である、
請求項１に記載の空気調和装置。
【請求項３】
前記カバーは、前記制御器または前記ケーシングから着脱可能である、
請求項１または２に記載の空気調和装置。
【請求項４】
前記カバーは、前記制御器に接している、
請求項１に記載の空気調和装置。
【請求項５】
前記空気調和装置は、さらに、前記カバーと前記ケーシングの間にシール部材（４６）を、備えている、
請求項１〜４のいずれか１項に記載の空気調和装置。
【請求項６】
前記空気調和装置は、さらに、前記カバーの外側に配置される化粧部材（５０ａ）を、
備えている、
請求項１〜５のいずれか１項に記載の空気調和装置。
【請求項７】
前記化粧部材は、前記表示部の表示を視認できるように開閉可能である、
請求項６に記載の空気調和装置。
【請求項８】
前記空気調和装置は、さらに、電装品（５５）を備え、
前記電装品は、端子接続部（５６）を有し、
前記ケーシングは、４つの側面（２０ａ〜２０ｄ）を有し、
前記表示部と前記端子接続部とが同一の側面（２０ａ）に向けて配置されている、
請求項１〜７のいずれか１項に記載の空気調和装置。
【発明の詳細な説明】
【技術分野】
【０００１】
ケーシング内に熱源側熱交換器および利用側熱交換器を収容する空気調和装置。
【背景技術】
【０００２】
特許文献１（特開２００６−２４２５１０号公報）は、凝縮器と蒸発器を両方とも１つの筐体に収容し、局所的な冷房を行う空気調和装置を開示している。
【発明の概要】
【発明が解決しようとする課題】
【０００３】
特許文献１の空気調和装置においては、操作部は、上面パネルに配置されている。室内の局所冷房を行う場合には、特に問題にならないと思われる。しかし、このような空気調和装置を屋外に配置することを想定すれば、雨風が直接操作部にかかるという課題も起こりうる。
【課題を解決するための手段】
【０００４】
第１観点の空気調和装置は、屋外に配置される空気調和装置である。空気調和装置は、ケーシングと、熱源側熱交換器と、利用側熱交換器と、制御器と、カバーとを備えている。熱源側熱交換器および利用側熱交換器は、ケーシング内に収容されている。制御器は、空気調和装置を制御する。カバーは、制御器の前面側に配置される。制御器は、ユーザが操作する操作部と、表示部と、を有する。カバーは、表示部を視認可能な透明部分を有する。
【０００５】
第１観点の空気調和装置は、カバーを備えているので、雨風が直接制御器にかかるのを防止できる。また、カバーは透明部分を有し、表示部を視認可能である。
【０００６】
第２観点の空気調和装置は、第１観点の装置であって、操作部を操作可能なように、カバーを開閉可能である。
【０００７】
第２観点の空気調和装置は、カバーを開閉可能であり、カバーを開にすることにより、操作部を操作できる。
【０００８】
第３観点の空気調和装置は、第１観点または第２観点の装置であって、カバーを、制御器またはケーシングから着脱可能である。
【０００９】
第３観点の空気調和装置は、カバーを着脱可能であり、カバーを取り外した状態で、操作部の操作ができる。また、メンテナンス時に作業しやすい。
【００１０】
第４観点の空気調和装置は、第１観点の装置であって、カバーは制御器に接している。
【００１１】
第４観点の空気調和装置は、カバーが制御器に接しているので、カバーの上から、制御器の操作が可能である。
【００１２】
第５観点の空気調和装置は、第１観点〜第４観点のいずれかの装置であって、さらに、カバーとケーシングの間にシール部材を、備えている。
【００１３】
第５観点の空気調和装置は、シール部材を備えているので、制御器への雨風の侵入をより確実に防止できる。
【００１４】
第６観点の空気調和装置は、第１観点〜第５観点のいずれかの装置であって、さらに、カバーの外側に配置される化粧部材を、備えている。
【００１５】
第６観点の空気調和装置は、カバーの外側に化粧部材を備えているので、より、確実に、制御器への雨風の侵入を防止できる。
【００１６】
第７観点の空気調和装置は、第６観点の装置であって、表示部の表示を視認できるように化粧部材を開閉可能である。
【００１７】
第７観点の空気調和装置は、化粧部材を開閉可能であり、化粧部材を開にすることにより、表示部の表示を視認できる。
【００１８】
第８観点の空気調和装置は、第１観点〜第７観点のいずれかの装置であって、さらに、電装品を備える。電装品は、端子接続部を有する。ケーシングは、４つの側面を有する。表示部と端子接続部とが同一の側面に向けて配置されている。
【００１９】
第８観点の空気調和装置は、表示部と端子接続部とが同一の側面に向けて配置されているので、メンテナンスが容易である。
【図面の簡単な説明】
【００２０】
【図１】第１実施形態の空気調和装置１００の冷媒回路を示す図。
【図２】第１実施形態の空気調和装置１００の外観斜視図。
【図３Ａ】第１実施形態の空気調和装置１００の内部の構成を示す斜視図。
【図３Ｂ】第１実施形態の空気調和装置１００の内部の構成を示すたて断面図。
【図４】第１実施形態の制御器およびカバー付近の斜視図。
【図５】第１実施形態の制御器４０、カバー４５、電装品５５付近の斜視図。
【発明を実施するための形態】
【００２１】
＜第１実施形態＞
（１）空気調和装置１００の冷媒回路の構成
第１実施形態の空気調和装置１００の冷媒回路を図１に、外観の斜視図を図２に示す。本実施形態の空気調和装置は、屋外に配置され、ヒートポンプを用いて、屋外の暖房、冷房、除湿などを行う空気調和装置である。ここで、屋外とは、外気にさらされる空間を意味する。たとえば、公園、野外競技場など、屋根の無いところの場合もあれば、屋根がある戸外空間、東屋や、ベランダのような場所、レストランの戸外の席であってもよい。
【００２２】
空気調和装置１００は、冷房、または、除湿のみを行う冷房専用機であってもよい。空気調和装置１００は、暖房のみを行う、暖房専用機であってもよい。空気調和装置１００は、冷房、除湿に加えて、暖房を行う、空気調和装置であってもよい。
【００２３】
本実施形態の空気調和装置１００は、図１に示すような冷媒回路全体を一つのケーシングの中に含む、空気調和装置である。空気調和装置１００は、図１に示すように、圧縮機１、アキュムレーター８、四方切換弁２、利用側熱交換器３、膨張弁５、熱源側熱交換器６を備えている。これらの機器は、配管で接続され、冷媒は各機器を循環して、蒸気圧縮式の冷凍サイクルが行われる。空気調和装置１００は、さらに、利用側熱交換器３、熱源側熱交換器６にそれぞれ空気を送る第２ファン４、第１ファン７を備えている。言い換えると、本実施形態の利用側熱交換器３、熱源側熱交換器６は、ともに、冷媒と空気で熱交換を行う熱交換器である。
【００２４】
冷房、除湿の場合は、利用側熱交換器３、熱源側熱交換器６は、それぞれ冷凍サイクルの蒸発器、放熱器として機能する。暖房の場合は、利用側熱交換器、熱源側熱交換器は、それぞれ放熱器、蒸発器として機能する。冷房と暖房の切換は、四方切換弁２の切換により冷媒の流れを変更することにより、行われる。空気調和装置１００が冷房専用機である場合には、四方切換弁２は不要である。空気調和装置１００が暖房兼用機である場合には、圧縮機から熱源側熱交換器へ冷媒を流すことで熱源側熱交換器の除霜を行うデフロスト運転のために、四方切換弁２を備えていてもよい。
【００２５】
空気調和装置１００において用いる冷媒としては、たとえば、Ｒ３２単体、Ｒ３２を含む混合冷媒である。Ｒ３２を含む混合冷媒の例としては、Ｒ４５２Ｂ、Ｒ４１０Ａ、Ｒ４５４Ｂである。Ｒ４５２Ｂは、Ｒ３２が６７．０ｗｔ％、Ｒ１２５が７．０ｗｔ％、Ｒ１２３４ｙｆが２６．０％である。Ｒ４１０Ａは、Ｒ３２が５０ｗｔ％、Ｒ１２５が５０ｗｔ％である。Ｒ４５４Ｂは、Ｒ３２が７２．５ｗｔ％、Ｒ１２３４ｙｆが２７．５ｗｔ％である。
【００２６】
（２）空気調和装置１００の各部品の配置
（２−１）空気調和装置の主要部品の配置
空気調和装置１００の外観の斜視図を図２に、化粧部材、一部の支柱等を取り除いて、主な内部の構成を表示した斜視図、縦断面図を図３Ａ、図３Ｂに示す。
【００２７】
本実施形態の空気調和装置１００では、ケーシング１０の中に、圧縮機１、熱源側熱交換器６、利用側熱交換器３、第１ファン７、第２ファン４、制御器４０、電装品５５が収容されている。ケーシング１０は、水平断面が、略正方形の直方体形状を有している。水平断面は、多角形、長方形であってもよい。円形であってもよい。ケーシング１０は、４本の支柱１１ａ〜１１ｄと、天板１３と底板１２とを有している。またケーシング１０の内部の空間は中間板１４〜１７によって仕切られている。中間板は、ケーシング１０の構造の補強にも寄与している。中間板１４〜１７は設計により適宜の枚数、適宜の位置に配置される。４本の支柱１１ａ〜１１ｄは、上面視水平な正方形の四隅に、鉛直に配置されている。天板１３、底板１２、および複数の中間板１４、１５、１６、１７は、４本の支柱１１ａ〜１１ｄに固定されている。また、本明細書においては、上記支柱、中間板等に直接または間接に取り付けられた構造部材を含めてケーシング１０と呼ぶことがある。
【００２８】
ケーシング１０の４側面２０ａ〜２０ｄの外側には、化粧部材５０が取り付けられている。熱交換器３，６の前面において、化粧部材５０には複数の孔が形成されており、孔を通じて空気が流通可能になっている。各側面２０ａ〜２０ｄの化粧部材は、適宜、上下、左右に分割されている。
【００２９】
ケーシング１０の内部には、上から順に、第１ファン７、熱源側熱交換器６、第２ファン４、利用側熱交換器３、圧縮機１が配置されている。第１ファン７は、熱源側熱交換器６に空気を流通させる。第２ファン４は、利用側熱交換器３に空気を流通させる。底板１２と中間板１７の間には、圧縮機１だけでなく、アキュムレーター８が配置されている。
【００３０】
底板１２のさらに下には、４つのキャスターが取り付けられている。したがって、空気調和装置１００は、移動可能である。
【００３１】
第１ファン７は、プロペラファンである。ターボファン、シロッコファンであってもよい。第１ファン７は、天板１３の中央部に吹出し口を開けて、天板の中央部から上方に空気を排出できるように取り付けられている。図示されていないが天板１３の中央部の吹出し口にはさらにメッシュ状の板が配置されている。
【００３２】
熱源側熱交換器６は、冷媒を流通させる伝熱管と、冷媒と空気との熱交換を推進する金属製フィンを含んでいる。熱源側熱交換器６は、ケーシング１０の４側面２０ａ〜２０ｄの全ての面に配置されている。
【００３３】
第２ファン４は、ターボファンである。プロペラファン、シロッコファンであってもよい。第２ファン４は、中間板１５、１６の間に、中間板１５の中央部に吊り下げるように取り付けられている。第２ファン４は、第１ファン７のモータと別のモータで駆動され、独立に制御可能である。
【００３４】
利用側熱交換器３は、冷媒を空気と熱交換させながら流通させる伝熱管と、冷媒と空気との熱交換を促進する金属製フィンとを含んでいる。利用側熱交換器３は、ケーシング１０の４側面２０ａ〜２０ｄの全ての面に配置されている。
【００３５】
空気調和装置１００の最下部、ケーシング１０の４側面２０ａ〜２０ｄ、中間板１７および底板１２に挟まれた空間には、圧縮機１、アキュムレーター８、制御器４０、電装品５５が配置されている。
【００３６】
（２−２）制御器４０
制御器４０は、利用側熱交換器３の下の空間に配置されている。制御器４０は、ケーシング１０の４側面２０ａ〜２０ｄの内の１つの側面２０ａに向けて配置されている。
【００３７】
制御器４０は、空気調和装置１００を制御する。制御器４０は、通常の空気調和装置においては、リモートコントローラーとして、空気調和装置の本体と有線または無線で接続され、本体とは離れて配置されているのが普通である。本実施形態の空気調和装置１００においては、屋外に配置されるという特殊性に鑑み、ケーシング１０と一体に配置されている。制御器４０の制御内容としては、通常の空気調和装置のリモートコントローラーと同様である。たとえば、空気調和装置１００の空気調和運転のオンオフ、冷房暖房の切換、風量、風向などの切換などである。制御器４０は、有線または無線で、電装品５５に接続される。本実施形態においては、制御器４０は、有線で電装品５５に接続されている。
【００３８】
制御器４０は、操作部４１と、表示部４２とを有している。操作部４１は、ユーザが操作することにより、空気調和装置の運転を制御することができる。表示部４２は、空気調和装置の運転状態を表示する。たとえば、空気調和装置の空気調和運転のオンオフ、冷房暖房運転のいずれか、風量、風向、トラブルの発生の有無などである。操作部４１と表示部４２は、一体であってもよい。操作部４１は、タッチパネルであっても良い。
【００３９】
制御器４０の前面には、カバー４５が配置されている。カバー４５は、操作部４１を操作可能なように、開閉可能である。図４は、カバー４５が開いた状態を開示している。カバー４５は、ヒンジ４７によって、ケーシング１０に取り付けられている。カバー４５はヒンジ４７によって、開閉可能となる。
【００４０】
カバー４５は、閉じられた状態で、留め具４８が回転することによって、閉の状態に固定される。
【００４１】
カバー４５は、閉じた状態において、表示部４２を、外から視認可能な透明部分を有している。本実施形態においては、カバー４５は、アクリルの板である。したがって、全体が透明部分である。
【００４２】
カバー４５は、制御器４０を雨や風に当てないように覆う。本実施形態の空気調和装置１００は屋外に配置して使用することを想定しているので、雨風が制御器４０に当たると、制御器４０の機能に支障をきたす恐れがある。また、カバー４５は、表示部４２が視認可能な透明部分を有しているので、カバー４５が閉じた状態で、ユーザが空気調和装置の運転状態を知ることができる。
【００４３】
本実施形態の空気調和装置１００は、さらに、カバー４５とケーシング１０の間にシール部材４６を、備えている。シール部材４６は、制御器４０の周囲のケーシング１０に配置されている。シール部材４６は、カバー４５に配置されていても良い。カバー４５を閉めたときに、シール部材４６は、カバー４５とケーシングの間で、両者を密着させる。これによって、カバー４５とケーシング１０の間の空間、言い換えると、制御器４０の配置された空間に、雨風が侵入するのをより確実に防止する。
【００４４】
本実施形態の空気調和装置１００は、さらに、化粧部材５０ａを備えている。化粧部材５０ａは、不透明である。化粧部材５０ａは、風を通さない。化粧部材５０ａは、たとえば、金属製である。
【００４５】
化粧部材５０ａは、カバー４５の外側に配置されている。図４は、化粧部材５０ａが制御器４０およびカバー４５の下方にスライドされて、下の化粧部材５０の前にある開であることを示している。図４は、カバー４５および化粧部材５０ａがともに開であって、ユーザは、操作部４１の操作が可能な状態である。
【００４６】
図４に示すように、ケーシング１０の制御器４０の両側には、磁石４３が配置されている。化粧部材５０ａをカバー４５の前にスライドさせると、磁石４３に化粧部材５０ａが接着され、化粧部材５０ａは閉に固定される。少なくとも化粧部材５０ａの磁石４３に接着される部分には、磁石４３に接着される金属材料が使用されている。たとえば、鉄である。磁石を利用して化粧部材を開閉することで、ネジを利用した場合に比べて、簡単に化粧部材の開閉が可能になる。
【００４７】
ユーザは、カバー４５を閉とすることにより、操作部４１の操作はできなくなるが、表示部４２の表示を視認することはできる。さらに、化粧部材５０ａを上にスライドさせて閉とすることにより、表示部４２の表示を視認することもできなくなる。化粧部材５０ａを閉とすることにより、上下の化粧部材５０と連続した意匠となる。なお、本実施形態の化粧部材は、図４の開の状態であっても、下側の化粧部材５０とは、連続した意匠となっている。
【００４８】
（２−３）電装品５５
次に、図５を用いて、電装品５５について、説明する。図５は、制御器４０、電装品５５が分かるように、制御器４０より下の化粧部材５０ａ、５０等を除いて示した図である。図５には、配線等も記載されていない。
【００４９】
電装品５５は、制御器４０の下に配置されている。電装品５５は、端子接続部５６と、電気回路５７とを含む。電装品５５は、制御器４０、圧縮機１、ファン４、７と接続されている。電装品５５は、制御器４０の指令を受けて、圧縮機１、ファン４、７などを制御する。
【００５０】
表示部４２と端子接続部５６は、ケーシング１０の同一の側面２０ａに向けて配置されている。
【００５１】
（３）空気調和装置１００における空気を流す構成と、空気の流れの説明
（３−１）利用側熱交換器３側の空気の流れ
図面を参照して、利用側熱交換器３側の空気の流れを詳細に説明する。図３Ａ、図３Ｂには、本実施形態の空気調和装置１００における、主な空気の流れを矢印に示している。
【００５２】
第２ファン４が運転されると、空気は、空気調和装置１００の外部、４側面２０ａ〜２０ｄの利用側熱交換器３の前面から、化粧部材５０を通過して、中間板１６、１７の間の空間に取り込まれる。空気は、利用側熱交換器３を通過し、利用側熱交換器３において、冷媒と熱交換を行う。冷媒によって加熱または冷却された空気は、第２ファン４を通過し、中間板１５、１６の間の空間へ移動し、４側面２０ａ〜２０ｄに設けられた吹出し口３１ａ〜３１ｄから外の空間に、概略水平方向に吹出される。吹出し口３１ａ〜３１ｄは、ケーシング１０に形成された穴である。
【００５３】
（３−２）熱源側熱交換器６側の空気の流れ
第１ファン７が運転されると、空気は、空気調和装置１００の外部の、熱源側熱交換器６が配置されている前面から、化粧部材５０を通過して、中間板１４、１５の間の空間に、取り込まれる。外気は、４側面２０ａ〜２０ｄにおいて、取り込まれる。外部から取り込まれた空気は、熱源側熱交換器６を通過して、冷媒と熱交換を行う。冷媒によって、加熱または冷却された空気は、空気調和装置１００の内部で第１ファン７、天板１３の中央の吹出し口を通過して、空気調和装置１００の外の上部に、上向きに吹出される。
【００５４】
（４）特徴
（４−１）
本実施形態の空気調和装置１００は、ケーシング１０の内部に、熱源側熱交換器６と、利用側熱交換器３と、制御器４０とを収容している。制御器４０は、一般の空気調和装置におけるリモートコントローラに対応している。制御器４０は、ユーザが操作する操作部４１と、表示部４２とを有している。
【００５５】
本実施形態の空気調和装置１００は、屋外で不特定多数のユーザに利用される可能性があるのに鑑み、制御器４０をケーシング１０に固定している。制御器４０が、ケーシング１０に固定されていることにより、制御器４０の紛失や制御器４０が乱暴に扱われるのを防いでいる。
【００５６】
本実施形態の空気調和装置１００は、さらに、制御器４０の前面側に配置されるカバー４５を備えている。本実施形態の空気調和装置１００は、屋外での利用を想定している。空気調和装置１００はカバーを備えているので、制御器４０が露出せず、雨風が直接制御器４０にかかるのを防止できる。
【００５７】
さらに、本実施形態の空気調和装置１００においては、カバー４５は、表示部を視認可能な透明部分を有する。
【００５８】
本実施形態の空気調和装置１００においては、カバー４５は表示部４２を視認可能な透明部分を有するので、カバー４５が表示部４２の前面に配置されていても、表示部４２の表示を視認可能である。
【００５９】
（４−２）
本実施形態の空気調和装置１００は、操作部４１を操作可能なように、カバー４５を開閉可能である。
【００６０】
本実施形態の空気調和装置１００は、カバー４５を開閉可能であり、カバー４５を開にすることにより、操作部４１を操作できる。
【００６１】
（４−３）
本実施形態の空気調和装置１００は、カバー４５を、ケーシング１０から着脱可能である。
【００６２】
本実施形態の空気調和装置１００は、カバー４５を着脱可能であり、カバー４５を取り外した状態にできるで、メンテナンス時の作業が容易になる。
【００６３】
（４−４）
本実施形態の空気調和装置１００は、さらに、カバー４５とケーシング１０の間にシール部材４６を、備えている。本実施形態においては、シール部材４６は、ケーシング１０に接着している。シール部材は、カバー４５が閉のときに、カバー４５とケーシング１０の間の隙間を防ぐ。
【００６４】
本実施形態の空気調和装置１００は、シール部材４６を備えているので、制御器４０への雨風の侵入をより確実に防止できる。
【００６５】
（４−５）
本実施形態の空気調和装置１００は、カバー４５の外側にさらに、化粧部材５０ａを備えている。本実施形態においては、化粧部材５０ａは、金属製である。化粧部材５０ａは、透明ではない。
【００６６】
本実施形態の空気調和装置１００は、化粧部材５０ａを備えているので、より、確実に、制御器４０への雨風の侵入を防止できる。
【００６７】
化粧部材５０ａは、周りの化粧部材５０と同様のデザインを有しているので、化粧部材を閉とすることにより、統一した外見とすることができる。また、化粧部材５０ａを閉とすることにより、制御器４０が外部から見えなくなる。したがって、不特定多数の人が、制御器４０を操作するのを防止することができる。
【００６８】
さらに、本実施形態の空気調和装置１００においては、化粧部材５０ａを開閉可能である。化粧部材５０ａは、下かつ前方にスライドさせることにより、閉から開にすることがきる。
【００６９】
本実施形態の空気調和装置１００は、化粧部材を開にすることにより、表示部４２の表示を視認できる。したがって、本実施形態の空気調和装置は、使用しないときや、操作をしないときは、化粧部材５０ａを閉にしておき、操作部４１の操作をしたいときや表示部４２の表示を見たいときには、化粧部材５０ａを開にする。
【００７０】
（５）変形例
（５−１）変形例１Ａ
第１実施形態のカバー４５は、平板状の板で制御器４０から離れて配置されていた。変形例１Ａのカバーは、制御器４０に接している。したがって、変形例１Ａのカバーは、制御器４０の表面部分と同様の形状を有している。変形例１Ａにおいては、カバーは、制御器に密着している。変形例１Ａのカバーの原料は、可撓性の高分子フィルムである。高分子フィルムを制御器４０の表面の形状に変形させて、カバーを形成する。その他の変形例１Ａの構成は、第１実施形態と同様である。
【００７１】
変形例１Ａのカバーは、制御器４０に接しているので、隙間に雨風が浸入するのを抑制できる。また、変形例１Ａのカバーは、制御器４０に接しているので、カバーを取り外さなくても、カバーの上から操作部４１を操作できる。
【００７２】
また、変形例１Ａのカバーは、制御器４０から着脱可能であっても良い。着脱可能とすることにより、メンテナンス性が向上する。
【００７３】
（５−２）変形例１Ｂ
第１実施形態の制御器４０は、操作部４１と表示部４２が別個に配置されていた。変形例１Ｂにおいては、操作部４１と表示部４２は、一体である。変形例１Ａの表示部は、タッチパネルである。表示部４２の表示に操作ボタンが表示され、ユーザが表示されたボタンをタッチすることにより操作する。変形例１Ｂのその他の構成は、第１実施形態と同様である。
【００７４】
変形例１Ｂの制御器４０は、操作部４１と表示部４２が一体となっているため、スペースを節約できる。
【００７５】
（５−３）変形例１Ｃ
変形例１Ｃの空気調和装置は、第１実施形態の空気調和装置に加えて、さらに、リモートコントローラを備えている。リモートコントローラは、空気調和装置を制御する。変形例１Ｃのリモートコントローラは、無線で空気調和装置の本体と通信する。
【００７６】
変形例１Ｃのリモートコントローラは、制御器４０と全く同じ機能を有しても良い。ユーザは、状況に応じて、リモートコントローラと、制御器を使い分ければよい。
【００７７】
変形例１Ｃのリモートコントローラは、制御器４０と機能が重複しても良い。たとえば、リモートコントローラは、空気調和装置のオンオフと空調機能の強弱の変更の機能だけを備え、制御器はその他の機能、タイマーの設定なども可能としていても良い。ユーザは、通常は、リモートコントローラで操作し、少し複雑な設定をするときは、リモートコントローラを使うようにしても良い。
【００７８】
（５−４）変形例１Ｄ
第１実施形態の空気調和装置１００の制御器４０は、有線で電装品５５に接続されていた。変形例１Ｄの空気調和装置１００の制御器４０は、無線で電装品５５に接続されている。その他は、第１実施形態と全く同様である。変形例１Ｄの空気調和装置も第１実施形態の空気調和装置と同様の作用効果を有する。
【００７９】
また、変形例１Ｄの空気調和装置の制御器は、着脱可能に構成されていても良い。
【００８０】
この場合、ユーザは、用途に応じて、ケーシング１０に固定して利用するか、取り外して利用するかを使い分けることができる。
【００８１】
（５−５）変形例１Ｅ
第１実施形態の空気調和装置１００においては、制御器４０およびカバー４５は、利用側熱交換器３よりも下側に配置されていた。制御器４０およびカバー４５は、他の位置に配置されていても良い。変形例１Ｅにおいては、制御器４０およびカバー４５は、熱源側熱交換器６と、利用側熱交換器３との間に配置されている。より具体的には、中間板１５、１６の間であり、４つの吹出し口３１ａ〜３１ｄのいずれかの下、第２ファン４のベルマウスの横である。その他の構成、作用効果は、第１実施形態と同様である。
【００８２】
変形例１Ｅの制御器４０およびカバー４５は、ユーザが立って操作がしやすいという利点を有する。
【００８３】
（５−６）変形例１Ｆ
第１実施形態においては、熱源側熱交換器６が利用側熱交換器３の上に配置されていた。変形例１Ａでは、逆に、利用側熱交換器が熱源側熱交換器の上にある。変形例１Ｆの空気調和装置は、下側の熱源側交換器で熱交換した空気を上に向けて排気する。したがって、空気の流れとしては、第１実施形態とは異なる。しかし、その他の構成と作用効果は、第１実施形態と同様である。
【００８４】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００８５】
１                          圧縮機
３                          利用側熱交換器
６                          熱源側熱交換器
１０                        ケーシング
２０ａ〜２０ｄ              側面
４０                        制御器
４１                        操作部
４２                        表示部
４５                        カバー
４６                        シール部材
５０、５０ａ                化粧部材
５５                        電装品
５６                        端子接続部
１００                      空気調和装置
【先行技術文献】
【特許文献】
【００８６】
【特許文献１】特開２００６−２４２５１０号公報
【図１】
2020133983.tif 000003
【図２】
2020133983.tif 000004
【図３Ａ】
2020133983.tif 000005
【図３Ｂ】
2020133983.tif 000006
【図４】
2020133983.tif 000007
【図５】
2020133983.tif 000008